(57)【要約】【課題】  開閉ドアの切粉による動作障害を防止する。【解決手段】  開閉ドア１の回転軸をパイプ３で構成し、該パイプ３に穴等の開口部４を設ける。パイプ３にクーラント供給部よりクーラントを供給する。クーラントは開口部４から流れ出て、パイプ３の表面を流れ、付着した切粉、付着しようとする切粉を洗い落とし、開閉ドア１のガイド２と回転中心軸のパイプ３間の摺接面に切粉が入り、開閉ドア１の回動動作の障害となることを防止する。【選択図】          図１
2007061933.tif 000002
【特許請求の範囲】
【請求項１】
摺動部に沿って摺動させて開閉させる工作機械の開閉ドアであって、
前記摺動部をパイプで構成し、該パイプには開口部が設けられ、該パイプ内から開口部を通って流体を該パイプの外周部の摺動部に流れ出すように構成されたことを特徴とする工作機械の開閉ドア。
【請求項２】
回転軸を中心に回動させて開閉させる工作機械の開閉ドアであって、
前記回転軸をパイプで構成し、該パイプには開口部が設けられ、該パイプ内から開口部を通って流体を該パイプの外周部に流れ出すように構成されたことを特徴とする工作機械の開閉ドア。
【請求項３】
前記パイプには、機械内部を洗浄するための開口部が別に設けられ、該パイプに導入され、開口部から流出する流体により機械内部を洗浄できるようにした請求項１又は請求項２に記載の工作機械の開閉ドア。
【請求項４】
前記パイプは、クーラント供給装置に接続され、前記流体はクーラントである請求項１乃至３の内いずれか１項に記載の工作機械の開閉ドア。
【発明の詳細な説明】
【技術分野】
【０００１】
本発明は、工作機械の切削領域を囲うために設けられる開閉ドアに関する。
【背景技術】
【０００２】
工作機械においては、切削加工によって生じる切粉の飛散防止を目的とし、さらには、工具冷却及び切粉の排除を行うためにクーラントを用いる場合には、このクーラントの飛散防止、ミスト状となって外部に排出されることを防止することを目的とし、切削領域を機体カバーで囲い、その一部に、加工領域へのアクセスを可能にするために開閉ドアが設けられている。
【０００３】
クーラントを用いる工作機械においては、飛散した切削油やミスト状となった切削油が切削領域の内部壁、開閉ドアに付着し、この切削油が開閉ドアの溝に溜まって、外部に漏れ出て周囲を汚すという問題があり、このクーラント（切削油）の漏れを防止するために、主軸チャックの回転を利用して、該回転により生じる負圧によって開閉ドアの溝に溜まった切削油を切削領域に強制的に戻し、切削油が外部に漏れ出すことを防止するようにした発明が知られている（特許文献１参照）。
【０００４】
【特許文献１】実開平５−５６３４７号公報
【発明の開示】
【発明が解決しようとする課題】
【０００５】
切削加工中は、開閉ドアは閉じられ加工領域を外部と遮断し、切粉、さらにはクーラントの飛散を防止する。ワークを切削加工して生じる切粉は、加工領域内に飛散するが、この切粉が開閉ドアの摺動部、回転部に付着、蓄積すると開閉ドアの開閉動作に支障をきたす。  
この切粉は清掃して取り除く必要があるが、切粉は開閉ドアで閉じられた内部の加工領域で発生するものであり、開閉ドアを開けようとしても、既に、切粉が開閉ドアの摺動部や回転部に蓄積し、その摺動動作、回動動作が困難になる場合がある。又、清掃するとしても加工領域内部であることから、清掃作業も容易ではない。  
そこで、本発明は、上述した問題を解決することを発明の課題とするものである。
【課題を解決するための手段】
【０００６】
工作機械の開閉ドアにおいて、摺動して開閉する開閉ドアの摺動部又は回動させて開閉する開閉ドアの回動中心軸をパイプで構成し、パイプに複数の開口部を設け、該パイプ内から開口部を通って流体を該パイプの外周部の摺動部に流れ出すようにした。さらに、前記パイプに、機械内部を洗浄するための開口部を別に設け、パイプに導入され、開口部から流出する流体により機械内部を洗浄できるようにした。特に、前記パイプを、クーラント供給装置に接続し、流体はクーラントを開口部から流出するようにした。
【発明の効果】
【０００７】
パイプから流出する流体によって切粉が排除されることから、開閉ドアの摺動面及び回動部に切粉が溜まることがなく、開閉ドアの開閉動作をスムーズにすることができる。
【発明を実施するための最良の形態】
【０００８】
以下、図面と共に本発明の実施形態を説明する。  
図１は、本発明の第１の実施形態の開閉ドアの要部斜視図である。符号１は、開閉ドアであり、該開閉ドア１は、一辺部に設けられた複数のガイド２によってパイプ３に回動自在に軸支されている。この実施形態の開閉ドア１は、パイプ３を回転中心軸して開閉するドアで、加工領域を閉鎖／解放するように構成されている。パイプ３には、複数の開口部４が設けられている。
【０００９】
図２は、工作機械の機械カバー５の開閉ドア部近辺の断面説明図である。機械カバー５の開口部６に開閉ドア１が設けられるもので、機械カバー５の端部に、開閉ドア１の回動中心となるパイプ３が配置され、該パイプ３は、クーラント供給装置７に接続され、該クーラント供給装置７から供給されたクーラントの流体が、パイプ３の開口部４より流出し、パイプ３の表面を流れ、該パイプ３の表面に付着した切粉を流し落とし、切粉が開閉ドア１の回動部、即ち、パイプ３と開閉ドア１のガイド２との間の摺接面に付着しないようにしている。
【００１０】
図３は、本発明の第２の実施形態の開閉ドアの要部概要図である。この第２の実施形態は、開閉ドア１がパイプ３に沿って摺動して加工領域を開閉するものである。工作機械の機械カバー５には、水平方向にパイプ３が配設され、該パイプ３には複数の開口部４が上向きに設けられている。開閉ドア１の一辺に設けられた複数のガイド２に、パイプ３が通されており、開閉ドア１は、パイプ３に沿って、図３中、矢印で示すように摺動し、加工領域を開閉するものである。この第２の実施形態においても、パイプ３にはクーラント供給装置に接続され、パイプ３内にクーラントが供給され、開口部４から溢れ出て、パイプ表面を伝ってクーラントは流れパイプ３の表面に付着する切粉を流し落とし、かつ付着することを防止し、開閉ドア１のガイド２の摺動を滑らかにして、切粉による障害を排除する。
【００１１】
上述した第１，第２の実施形態のように、開閉ドアとしては、回動式のものでも、摺動式のものでもよいもので、摺動式の場合においては、開閉ドア１の形状に応じて、円弧等の曲線運動して摺動するものでも構わないものである。
【００１２】
本発明は、開閉ドア１をガイドする摺動部、回転部の摺接面に切削油等のクーラントが覆うように流れるようにしたことを特徴とするものであり、そのために、摺動部、回動部をパイプ３で構成し、該パイプ３内にクーラントを供給し、開口部４から流出させるようにしたものであり、摺動部を形成するパイプの場合、その断面形状は丸型に限らず、丸型以外の形状でもよいものである。
【００１３】
図４は、本発明に用いる開閉ドアの形態例を示す図である。  
図４（ａ）は、図１，図３に示した実施形態に用いた開閉ドア１の構成であり、開閉ドア１の一辺に複数の管状のガイド２が設けられ、該ガイド２にパイプ３が挿通され、開閉ドア１は、該パイプ３を回りに回動するか、又は該パイプ３に沿って移動するように構成されるものである。  
図４（ｂ）は、開閉ドア１の対向する２辺に複数のガイド２を配置し、各辺に配置されたガイド２にはパイプ３が挿通されて、２つのパイプ３に沿ってガイド２が摺動し開閉ドア１は開閉されるものとした。そして、パイプ３には開口部４を有し、クーラント供給装置よりパイプ３内に供給されたクーラントを開口部４より流出させ、切粉をパイプ表面より、流し落とすものである  。
図４（ｃ）は、ガイドを管状ではなく半周型の形状のガイド２’としたものであり、他の構成は図４（ａ）と同じである。  
図４（ｄ）は、ガイドを半周型の形状のガイド２ａ，２ｂを組み合わせ、管状のガイド２とするもので、他の構成は図４（ａ）と同じである。
【００１４】
図５は、開閉ドアの回動中心軸又は摺動部を構成するパイプ３の斜視図で、パイプ３は、複数の開口部４を有するもので、図５（ａ）に示すような丸穴でも、図５（ｂ）に示すように、長穴でもよく、その穴の形状、個数は限定されるものではない。開口部４は、パイプ３の中心軸と平行な軸線上に配列して設けられており、図３に示した実施形態のように、該パイプの中心軸を水平方向に配置する場合には、開口部４の穴が上を向くように配置する。又、図１に示すように、パイプ３の中心軸を垂直方向に配置する場合には、開口部４の穴は、必ずしも同一直線軸上になくてもよいものである。又、パイプ３の材質も限定されるものではないが、クーラントを内部に通すことから、多種多様のクーラントに対して耐性を考慮して、金属製が望ましい。
【００１５】
又、図６に示すように、パイプ３に開口部４を追加することによって、又は、パイプ３の穴の向きを変えることによって、新たな配管を追加することなく、機械内部の切粉洗浄も可能になる。
【００１６】
なお、上述とした各実施形態では、クーラント供給装置よりパイプ３にクーラントを供給する例を説明したが、必ずしも、クーラントを使用する必要はなく、クーラントに代えて、他の液体や空気等の気体でもよいものである。特に、クーラントを使用しない工作機械の場合などにおいては、パイプ３に空気等の気体を供給し、開口部４から気体を噴出させることによって、切粉を開閉ドアの回動部、摺動部から排除するようにしてもよいものである。ただし、気体よりもクーラント等の液体の方が、切粉が液体の流れに乗ることにより排泄され、かつ切粉の回収も容易となるという効果がある。
【図面の簡単な説明】
【００１７】
【図１】本発明の第１の実施形態の開閉ドアの要部斜視図である。
【図２】同実施形態における工作機械の機械カバーの開閉ドア部近辺の断面説明図である。
【図３】本発明の第２の実施形態の開閉ドアの要部概要図である。
【図４】本発明に用いる開閉ドアの形態例を示す図である。
【図５】本発明の開閉ドアの回動中心軸又は摺動部を構成するパイプの斜視図である。
【図６】同パイプの別の形態の斜視図である。
【符号の説明】
【００１８】
１  開閉ドア
２  ガイド
３  パイプ
４  開口部
５  機械カバー
６  ドア開口部
７  クーラント供給装置
【図１】
2007061933.tif 000003
【図２】
2007061933.tif 000004
【図３】
2007061933.tif 000005
【図４】
2007061933.tif 000006
【図５】
2007061933.tif 000007
【図６】
2007061933.tif 000008